(57)【要約】【課題】作業性及び耐震性を高めることができる補助装置及び液体クロマトグラフィシステムを提供する。【解決手段】補助装置１００は、複数のユニットが縦に積み上げられて構成される液体クロマトグラフィ装置を補助する。ベース板１には、液体クロマトグラフィ装置が設置されている。支柱２は、ベース板１に固定され液体クロマトグラフィ装置を超える高さを有する。トレイ３は、溶媒の容器を収納する。縦スライダ４は、支柱２に固定され、ベース板１の高さから、液体クロマトグラフィ装置の上面の高さとの間でトレイ３を移動させる。横スライダ５は、トレイ３を、横方向に移動させる。制御部は、縦スライダ４及び横スライダ５を駆動して、トレイ３の位置を制御する。支柱２には、各ユニットを固定するための滑り止め２０及びベルト締結部２１が設けられている。【選択図】図１
2014224713.tif 000002
【特許請求の範囲】
【請求項１】
複数のユニットが縦に積み上げられて構成される液体クロマトグラフィ装置を補助する補助装置であって、
前記液体クロマトグラフィ装置が設置されるベース板と、
前記ベース板に固定され前記液体クロマトグラフィ装置を超える高さを有する支柱と、
溶媒の容器を収納するトレイと、
前記支柱に固定され、前記ベース板の高さと、前記液体クロマトグラフィ装置の上面の高さとの間で前記トレイを移動させる縦スライダと、
前記トレイを、横方向に移動させる横スライダと、
前記縦スライダ及び前記横スライダを駆動して、前記トレイの位置を制御する制御部と、
を備え、
前記支柱に、前記各ユニットを固定するための固定部が設けられている補助装置。
【請求項２】
前記支柱には、前記固定部として、前記各ユニットをベルトで締結する締結部が設けられている、
請求項１に記載の補助装置。
【請求項３】
前記ベース板には、最下方のユニットの底面に対する滑り止めが形成されている、
請求項１又は２に記載の補助装置。
【請求項４】
前記トレイの底面に、前記容器に対する滑り止めが形成されている、
請求項１乃至３のいずれか一項に記載の補助装置。
【請求項５】
請求項１乃至４のいずれか一項に記載の補助装置と、
複数のユニットが縦に積み上げられて構成された液体クロマトグラフィ装置と、
を備える液体クロマトグラフィシステム。
【発明の詳細な説明】
【技術分野】
【０００１】
この発明は、補助装置及び液体クロマトグラフィシステムに関する。
【背景技術】
【０００２】
液体クロマトグラフィ装置は、ポンプ、サンプル注入部、カラム、検知器などの各ユニットを組み合わせて、溶媒を移動相として、液体試料の成分を分離分析する装置である。液体クロマトグラフィ装置では、省スペース化等の観点から、各ユニットが縦に積み上げられて構成されている（例えば、特許文献１等参照）。各ユニットが縦に積み上げられている場合、溶媒の容器は、一番上に置かれるのが一般的である。ポンプの圧力が弱い場合、溶媒の容器がポンプよりも下にあると、溶媒をカラムに送ることが困難になるためである。
【先行技術文献】
【特許文献】
【０００３】
【特許文献１】特開平０６−１０２２６９号公報
【発明の概要】
【発明が解決しようとする課題】
【０００４】
このように、溶媒の容器は、装置の上部、すなわち一番高い位置に置かれるようになる。従来は、作業者が、高い位置に置かれた容器を手にとって作業を行っていた。しかしながら、高い位置に容器を設置等するのは、作業者にとって煩雑な作業となるため、作業効率が低下する。また、毒性の強い溶媒が用いられることがあることも考えると、この作業は、作業者の安全性にとって決して望ましいことではない。このようなことから、現状では、決して作業性の高い状態で液体クロマトグラフィ装置を用いた分離分析が行われているとは言えなかった。
【０００５】
一方、東日本大震災等の大地震では、縦に積み上げられた各ユニットが崩れ、甚大な被害が発生したことが報告されている。そこで、液体クロマトグラフィ装置に、このような地震に対する耐震構造を持たせることが急務となっている。
【０００６】
本発明は、上記実情に鑑みてなされたものであり、作業性及び耐震性を高めることができる補助装置及び液体クロマトグラフィシステムを提供することを目的とする。
【課題を解決するための手段】
【０００７】
上記目的を達成するために、本発明の第１の観点に係る補助装置は、
複数のユニットが縦に積み上げられて構成される液体クロマトグラフィ装置を補助する補助装置であって、
前記液体クロマトグラフィ装置が設置されるベース板と、
前記ベース板に固定され前記液体クロマトグラフィ装置を超える高さを有する支柱と、
溶媒の容器を収納するトレイと、
前記支柱に固定され、前記ベース板の高さと、前記液体クロマトグラフィ装置の上面の高さとの間で前記トレイを移動させる縦スライダと、
前記トレイを、横方向に移動させる横スライダと、
前記縦スライダ及び前記横スライダを駆動して、前記トレイの位置を制御する制御部と、
を備え、
前記支柱に、前記各ユニットを固定するための固定部が設けられている。
【０００８】
この場合、前記支柱には、前記固定部として、前記各ユニットをベルトで締結する締結部が設けられている、
こととしてもよい。
【０００９】
また、前記ベース板には、最下方のユニットの底面に対する滑り止めが形成されている、
こととしてもよい。
【００１０】
また、前記トレイの底面に、前記容器に対する滑り止めが形成されている、
こととしてもよい。
【００１１】
また、本発明の第２の観点に係る液体クロマトグラフィシステムは、
本発明の補助装置と、
複数のユニットが縦に積み上げられて構成された液体クロマトグラフィ装置と、
を備える。
【発明の効果】
【００１２】
本発明によれば、溶媒の容器を、自動的に液体クロマトグラフィ装置の上部に設置することができるので、作業効率及び作業の安全性、すなわち作業性を高めることができる。また、複数のユニットをそれらが設置されたベース板に固定された支柱に固定することができるので、各ユニットの積み上げが崩れるのを防止して耐震性を高めることができる。
【図面の簡単な説明】
【００１３】
【図１】本実施の形態に係る液体クロマトグラフィ装置に用いられる補助装置の斜視図である。
【図２】図１の補助装置を備える液体クロマトグラフィシステムの斜視図である。
【図３】補助装置の制御系のブロック図である。
【図４】ベルト締結部の拡大図である。
【図５】図２の液体クロマトグラフィシステムにおける作業手順（その１）を示す図である。
【図６】図２の液体クロマトグラフィシステムにおける作業手順（その２）を示す図である。
【図７】図２の液体クロマトグラフィシステムにおける作業手順（その３）を示す図である。
【発明を実施するための形態】
【００１４】
本発明の実施の形態について、図面を参照して詳細に説明する。
【００１５】
図１及び図２には、本実施の形態に係る液体クロマトグラフィ装置１５０に用いられる補助装置１００の斜視図が示されている。図１には、補助装置１００のみが示され、図２には、補助装置１００と液体クロマトグラフィ装置１５０とを備える液体クロマトグラフィシステム２００が示されている。
【００１６】
図１及び図２に示すように、補助装置１００は、複数のユニットが縦に積み上げられて構成される液体クロマトグラフィ装置１５０を補助する装置である。
【００１７】
ベース板１には、液体クロマトグラフィ装置１５０が設置される。ベース板１は、例えば作業机の面上に例えばねじ止めにより固定されている。これにより、地震等により、ベース板１が面上を移動するのが防止される。ベース板１は、床面や棚面に設置されるようにしてもよい。
【００１８】
支柱２は、ベース板１から縦方向に延びている。支柱２は、例えば、溶接などにより、ベース板１に固定されている。これにより、地震等により、支柱２が倒れるのが防止されている。支柱２は、液体クロマトグラフィ装置１５０を超える高さを有する。
【００１９】
トレイ３は、溶媒の容器１５を収納する。トレイ３の外縁部には側壁が設けられており、中の容器１５がトレイ３から落ちるのが防止されている。また、トレイ３の底面に、容器１５に対する滑り止め２０が形成されている。
【００２０】
縦スライダ４は、例えば、ねじ止め等により、支柱２に固定されている。縦スライダ４の中には、縦方向に延びるボールねじが設置されている。このボールねじの駆動により縦方向に移動する部材は、横スライダ５と接続されている。
【００２１】
横スライダ５の中には、横方向に延びるボールねじが設置されている。このボールねじの駆動により横方向に移動する部材は、トレイ３と接続されている。
【００２２】
以上の構成により、縦スライダ４は、ベース板１の高さから、液体クロマトグラフィ装置１５０の上面の高さとの間でトレイ３を移動させる。また、横スライダ５は、トレイ３を、横方向に移動させる。
【００２３】
図３には、補助装置１００の制御系が示されている。図３に示すように、この制御系は、制御部３０を中心に構成されている。制御部３０は、不図示のドライバ回路を介して、縦スライダ４のモータ１１及び横スライダ５のモータ１２を駆動して、トレイ３の位置を制御する。
【００２４】
支柱２には、固定部として、液体クロマトグラフィ装置１５０各ユニットを固定するためのベルト締結部２１が設けられている。
【００２５】
より具体的には、支柱２には、液体クロマトグラフィ装置１５０の各ユニットをベルトで締結するベルト締結部２１が複数設けられている。各ベルト締結部２１は、ユニット毎に設けられている。図４に示すように、各ユニットを保持するベルト２３をベルト締結部２１で締結することにより、各ユニットが、積み上げ状態からずれるのが防止される。
【００２６】
また、ベース板１には、最下方のユニットの底面に対向する位置に、ゴム状の滑り止め２０が形成されている。滑り止め２０は、ユニットの４つの脚部をはめ込んで、その脚部がずれるのを抑制し、ユニットが横方向に動かないようにしている。
【００２７】
次に、補助装置１００の動作について説明する。ここでは、補助装置１００を用いた作業手順について説明する。
【００２８】
図５に示すように、最初に、トレイ３は、液体クロマトグラフィ装置１５０の横で、ベース板１の高さに位置している。この状態で、作業者は、溶媒の容器１５のセッティングを行う。容器１５は低い位置にあるため、作業者は作業を行い易くなっている。
【００２９】
続いて、制御部３０は、縦スライダ４を駆動（モータ１１を駆動）して、トレイ３を、図６に示す位置に上昇させる。さらに、制御部３０は、横スライダ５を駆動（モータ１２を駆動）して、トレイ３を、図７に示す位置に移動させる。これにて、容器１５の設置が完了し、液体クロマトグラフィ装置１５０を用いた分析が可能となる。
【００３０】
分析終了後、制御部３０は、横スライダ５を駆動して、図７に示す位置から、図６に示す位置に移動させ、次いで、制御部３０は、縦スライダ４を駆動して、図６に示す位置から、図５に示す位置に移動させる。この位置で、容器１５の取り外しが容易に行われる。
【００３１】
以上詳細に説明したように、本実施の形態によれば、溶媒の容器１５を、自動的に液体クロマトグラフィ装置１５０の上部に設置することができるので、作業効率及び作業の安全性、すなわち作業性を高めることができる。また、複数のユニットをそれらが設置されたベース板１に固定された支柱２に固定することができるので、各ユニットの積み上げが崩れるのを防止して耐震性を高めることができる。
【００３２】
具体的には、各ユニットは、それぞれベルト２３で締結され、特に、最下方のユニットの底面も滑り止めでその横方向の移動が制限されている。これにより、すべてのユニットを固定して、各ユニットがすべり落ちるのを防止することができる。
【００３３】
また、溶媒の容器１５を収納するトレイ３の底面にも滑り止め２０が敷かれている。これにより、溶媒の容器１５が、倒れたり、トレイ３から落ちたりするのを防ぐことができる。
【００３４】
なお、上記実施の形態では、縦スライダ４及び横スライダ５を、ボールねじで構成したが、本発明はこれには限られない。例えば、縦スライダ４及び横スライダ５を、リニアモータで構成するようにしてもよい。
【００３５】
また、液体クロマトグラフィ装置１５０の各ユニットをベルトではなく、ねじ止めにより支柱２に固定するようにしてもよい。また、ベース板１と、最下方のユニットとを、ねじ止めするようにしてもよい。
【００３６】
なお、液体クロマトグラフィ装置１５０の高さや幅のサイズは、各メーカによって様々である。支柱２の高さや縦スライダ４、横スライダ５のストロークは、複数のメーカの液体クロマトグラフィ装置１５０のサイズに適合するようになっているのが望ましい。
【００３７】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００３８】
この発明は、液体クロマトグラフィ装置に用いられるのに好適である。
【符号の説明】
【００３９】
１    ベース板
２    支柱
３    トレイ
４    縦スライダ
５    横スライダ
１１    モータ
１２    モータ
１５    容器
２０    滑り止め
２１    ベルト締結部
２２    滑り止め
２３    ベルト
３０    制御部
１００    補助装置
１５０    液体クロマトグラフィ装置
２００    液体クロマトグラフィシステム
【図３】
2014224713.tif 000003
【図１】
2014224713.tif 000004
【図２】
2014224713.tif 000005
【図４】
2014224713.tif 000006
【図５】
2014224713.tif 000007
【図６】
2014224713.tif 000008
【図７】
2014224713.tif 000009